(57)【要約】【課題】太陽エネルギー供給装置の提供。【解決手段】太陽エネルギー供給装置の光重畳反射鏡は一個以上の傾斜平面もしくは一個以上の傾斜円弧面の光重畳反射鏡ユニットを連接固定して形成するか、もしくは一楕円放物線面もしくは錐体から構成される環状光重畳反射鏡を採用し、太陽光反射線は太陽エネルギーチップの被照射面上すべてに当たる。大面積の太陽光が小面積の太陽エネルギーチップ上に光反射、集光、投射し、太陽エネルギーの利用率を高め、公知の技術と比較して、製造コストの高い電池板を節約する。加える光重畳反射鏡の材料は廉価なプラスチック電気メッキ材、ステンレス板、鏡面材を採用して製造コストを大幅に下げ、市場競争力を高める。本発明の太陽電池は風力発電機に結合して運用し、戸外に設置して日夜間断なく電気を供給することができる。【選択図】図１
0003133650.tif 000002
【実用新案登録請求の範囲】
【請求項１】
電池、蓄電池を含む太陽エネルギー供給装置において、
太陽エネルギー電池ユニットは、主に太陽エネルギーチップ、光反射材で作った環状光重畳反射鏡を含み、その環状光重畳反射鏡は一個以上の光重畳反射鏡ユニットを連接固定して一環形状を形成するもので、その光重畳反射鏡ユニットは一傾斜平面で、その傾斜平面は傾斜線状に環状光重畳反射鏡を中心軸として０度より大きく１８０度か、それより小さく回転し、太陽エネルギーチップは光重畳反射鏡上方に位置し、且つ被照射面は下向きに設置し、傾斜平面上の太陽光反射線は等しく太陽エネルギーチップの被照射面に当たることを特徴とする太陽エネルギー供給装置。
【請求項２】
電池、蓄電池を含む太陽エネルギー供給装置において、
太陽エネルギー電池ユニットは、主に太陽エネルギーチップ、光反射材で作った環状光重畳反射鏡を含み、その環状光重畳反射鏡は一個以上の光重畳反射鏡ユニットを連接固定して一環形状を形成するもので、その光重畳反射鏡ユニットは一傾斜円弧面で、その傾斜円弧面は傾斜円弧状に環状光重畳反射鏡を中心軸として０度より大きく１８０度か、それより小さく回転し、太陽エネルギーチップは光重畳反射鏡上方に位置し、且つ被照射面は下向きに設置し、傾斜円弧面上の太陽光反射線は等しく太陽エネルギーチップの被照射面に当たることを特徴とする太陽エネルギー供給装置。
【請求項３】
電池、蓄電池を含む太陽エネルギー供給装置において、
太陽エネルギー電池ユニットは、主に太陽エネルギーチップ、光反射材で作った環状光重畳反射鏡を含み、その環状光重畳反射鏡は一楕円放物線面で、凹部に通孔を設置し、太陽エネルギーチップは光重畳反射鏡上方に位置し、且つ被照射面は下向きに設置し、放物形状面上の太陽光反射線は等しく太陽エネルギーチップの被照射面に当たることを特徴とする太陽エネルギー供給装置。
【請求項４】
電池、蓄電池を含む太陽エネルギー供給装置において、
太陽エネルギー電池ユニットは、主に太陽エネルギーチップ、光反射材で作った環状光重畳反射鏡を含み、その環状光重畳反射鏡は一錐体で、凹部に通孔を設置し、太陽エネルギーチップは光重畳反射鏡上方に位置し、且つ被照射面は下向きに設置し、放物形状面上の太陽光反射線は等しく太陽エネルギーチップの被照射面に当たることを特徴とする太陽エネルギー供給装置。
【請求項５】
請求項１又は請求項２又は請求項３又は請求項４記載の太陽エネルギー供給装置において、前記太陽エネルギーチップは、その外側に防護箱を固定設置することを特徴とする太陽エネルギー供給装置。
【請求項６】
請求項１又は請求項２又は請求項３又は請求項４記載の太陽エネルギー供給装置において、前記光反射材は、プラスチック電気メッキ材、ステンレス板、光反射鏡面材とすることを特徴とする太陽エネルギー供給装置。
【請求項７】
請求項５記載の太陽エネルギー供給装置において、前記光反射材は、プラスチック電気メッキ材、ステンレス板、光反射鏡面材とすることを特徴とする太陽エネルギー供給装置。
【請求項８】
請求項１又は請求項２又は請求項３又は請求項４記載の太陽エネルギー供給装置において、前記光重畳式太陽エネルギー供給装置は、少なくとも一個以上の太陽エネルギー電池ユニットから構成されることを特徴とする太陽エネルギー供給装置。
【請求項９】
請求項５記載の太陽エネルギー供給装置において、前記光重畳式太陽エネルギー供給装置は、少なくとも一個以上の太陽エネルギー電池ユニットから構成されることを特徴とする太陽エネルギー供給装置。
【請求項１０】
請求項６記載の太陽エネルギー供給装置において、前記光重畳式太陽エネルギー供給装置は、少なくとも一個以上の太陽エネルギー電池ユニットから構成されることを特徴とする太陽エネルギー供給装置。
【請求項１１】
請求項７記載の太陽エネルギー供給装置において、前記光重畳式太陽エネルギー供給装置は、少なくとも一個以上の太陽エネルギー電池ユニットから構成されることを特徴とする太陽エネルギー供給装置。
【考案の詳細な説明】
【技術分野】
【０００１】
本発明は、太陽エネルギー供給装置に関するものである。
【背景技術】
【０００２】
今日、公知の太陽エネルギー供給装置は、平板式の太陽電池が太陽の自然の光を受けて発電する。この方法には大きな面積の太陽エネルギーチップで光エネルギーを収集しなければならない。
【考案の開示】
【考案が解決しようとする課題】
【０００３】
公知技術の欠点に関して、本発明では製造しやすく、低コストの太陽エネルギー供給装置を提供する。これは太陽エネルギーチップを逆掛合し、下に太陽光重畳反射鏡を設置することにより、太陽エネルギー電池が受ける太陽光照射強度を強くして太陽エネルギー電池の効率を４倍以上に高める。これらにより、多数個の同じ装置を組合せ、異なる規模の大中小型太陽エネルギー供給装置にし、且つ太陽エネルギーチップの使用寿命を延ばし、太陽発電システムが応用に利することを本発明の目的とする。
【０００４】
上述の目的のため、本発明技術は以下のとおりである。
一種の光重畳式太陽エネルギー供給装置は、主に太陽エネルギー電池、蓄電池を含む。その特徴として、太陽エネルギー電池ユニットは主に太陽エネルギーチップ、光反射材の環状光重畳反射鏡を含み、その環状光重畳反射鏡は一個以上の光重畳反射鏡ユニットを連接固定して一環形状を形成する。この光重畳反射鏡ユニットは一傾斜平面とし、その傾斜平面は一傾斜線に環状光重畳反射鏡を中心軸として０度より大きく１８０度かもしくはそれより小さい角度で回転し、太陽エネルギーチップは光重畳反射鏡上方に位置し、且つその被照射面が下向きに設置される。この傾斜面上の太陽光反射線は太陽エネルギーチップの被照射面上にすべて当たる。
【０００５】
一種の光重畳式太陽エネルギー供給装置は、主に太陽エネルギー電池、蓄電池を含む。その特徴として、太陽エネルギー電池ユニットは主に太陽エネルギーチップ、光反射材の環状光重畳反射鏡を含み、その環状光重畳反射鏡は一個以上の光重畳反射鏡ユニットを連接固定して一環形状を形成する。この光重畳反射鏡ユニットは一傾斜円弧面とし、その傾斜円弧面は一円弧線に環状光重畳反射鏡を中心軸として０度より大きく１８０度かもしくはそれより小さい角度で回転し、太陽エネルギーチップは光重畳反射鏡上方に位置し、且つその被照射面が下向きに設置される。この傾斜面上の太陽光反射線は太陽エネルギーチップの被照射面上にすべて当たる。
【０００６】
一種の光重畳式太陽エネルギー供給装置は、主に太陽エネルギー電池、蓄電池を含む。その特徴として、太陽エネルギー電池ユニットは主に太陽エネルギーチップ、光反射材の環状光重畳反射鏡を含み、その環状光重畳反射鏡は一楕円放物線面で、凹部に通孔を設置し、太陽エネルギーチップは光重畳反射鏡上方に位置し、且つその被照射面は下向きに設置する。この放物線面の太陽光反射線はすべて太陽エネルギーチップの被照射面上に当たる。
【０００７】
一種の光重畳式太陽エネルギー供給装置は、主に太陽エネルギー電池、蓄電池を含む。その特徴として、太陽エネルギー電池ユニットは主に太陽エネルギーチップ、光反射材の環状光重畳反射鏡を含み、その環状光重畳反射鏡は一錐体で、凹部に通孔を設置し、太陽エネルギーチップは光重畳反射鏡上方に位置し、且つその被照射面は下向きに設置する。この放物形状面上の太陽光反射線はすべて太陽エネルギーチップの被照射面上に当たる。
【０００８】
太陽エネルギーチップ外側には防護箱を固定設置する。
光反射材は、プラスチック電気メッキ材、ステンレス板、光反射鏡面材とする。上述の光重畳式太陽エネルギー供給装置は、少なくとも一個以上の太陽エネルギー電池ユニットから構成される。
【課題を解決するための手段】
【０００９】
請求項１の考案は、電池、蓄電池を含む太陽エネルギー供給装置において、
太陽エネルギー電池ユニットは、主に太陽エネルギーチップ、光反射材で作った環状光重畳反射鏡を含み、その環状光重畳反射鏡は一個以上の光重畳反射鏡ユニットを連接固定して一環形状を形成するもので、その光重畳反射鏡ユニットは一傾斜平面で、その傾斜平面は傾斜線状に環状光重畳反射鏡を中心軸として０度より大きく１８０度か、それより小さく回転し、太陽エネルギーチップは光重畳反射鏡上方に位置し、且つ被照射面は下向きに設置し、傾斜平面上の太陽光反射線は等しく太陽エネルギーチップの被照射面に当たることを特徴とする太陽エネルギー供給装置としている。
請求項２の考案は、電池、蓄電池を含む太陽エネルギー供給装置において、
太陽エネルギー電池ユニットは、主に太陽エネルギーチップ、光反射材で作った環状光重畳反射鏡を含み、その環状光重畳反射鏡は一個以上の光重畳反射鏡ユニットを連接固定して一環形状を形成するもので、その光重畳反射鏡ユニットは一傾斜円弧面で、その傾斜円弧面は傾斜円弧状に環状光重畳反射鏡を中心軸として０度より大きく１８０度か、それより小さく回転し、太陽エネルギーチップは光重畳反射鏡上方に位置し、且つ被照射面は下向きに設置し、傾斜円弧面上の太陽光反射線は等しく太陽エネルギーチップの被照射面に当たることを特徴とする太陽エネルギー供給装置としている。
請求項３の考案は、電池、蓄電池を含む太陽エネルギー供給装置において、
太陽エネルギー電池ユニットは、主に太陽エネルギーチップ、光反射材で作った環状光重畳反射鏡を含み、その環状光重畳反射鏡は一楕円放物線面で、凹部に通孔を設置し、太陽エネルギーチップは光重畳反射鏡上方に位置し、且つ被照射面は下向きに設置し、放物形状面上の太陽光反射線は等しく太陽エネルギーチップの被照射面に当たることを特徴とする太陽エネルギー供給装置としている。
請求項４の考案は、電池、蓄電池を含む太陽エネルギー供給装置において、
太陽エネルギー電池ユニットは、主に太陽エネルギーチップ、光反射材で作った環状光重畳反射鏡を含み、その環状光重畳反射鏡は一錐体で、凹部に通孔を設置し、太陽エネルギーチップは光重畳反射鏡上方に位置し、且つ被照射面は下向きに設置し、放物形状面上の太陽光反射線は等しく太陽エネルギーチップの被照射面に当たることを特徴とする太陽エネルギー供給装置としている。
請求項５の考案は、請求項１又は請求項２又は請求項３又は請求項４記載の太陽エネルギー供給装置において、前記太陽エネルギーチップは、その外側に防護箱を固定設置することを特徴とする太陽エネルギー供給装置としている。
請求項６の考案は、請求項１又は請求項２又は請求項３又は請求項４記載の太陽エネルギー供給装置において、前記光反射材は、プラスチック電気メッキ材、ステンレス板、光反射鏡面材とすることを特徴とする太陽エネルギー供給装置としている。
請求項７の考案は、請求項５記載の太陽エネルギー供給装置において、前記光反射材は、プラスチック電気メッキ材、ステンレス板、光反射鏡面材とすることを特徴とする太陽エネルギー供給装置としている。
請求項８の考案は、請求項１又は請求項２又は請求項３又は請求項４記載の太陽エネルギー供給装置において、前記光重畳式太陽エネルギー供給装置は、少なくとも一個以上の太陽エネルギー電池ユニットから構成されることを特徴とする太陽エネルギー供給装置としている。
請求項９の考案は、請求項５記載の太陽エネルギー供給装置において、前記光重畳式太陽エネルギー供給装置は、少なくとも一個以上の太陽エネルギー電池ユニットから構成されることを特徴とする太陽エネルギー供給装置としている。
請求項１０の考案は、請求項６記載の太陽エネルギー供給装置において、前記光重畳式太陽エネルギー供給装置は、少なくとも一個以上の太陽エネルギー電池ユニットから構成されることを特徴とする太陽エネルギー供給装置としている。
請求項１１の考案は、請求項７記載の太陽エネルギー供給装置において、前記光重畳式太陽エネルギー供給装置は、少なくとも一個以上の太陽エネルギー電池ユニットから構成されることを特徴とする太陽エネルギー供給装置としている。
【考案の効果】
【００１０】
本発明の太陽エネルギー供給装置は、下述の利点がある。光重畳反射鏡は、一個以上の傾斜平面もしくは一個以上の傾斜円弧面の光重畳反射鏡ユニットを連接固定して形成するか、もしくは楕円放物線面、もしくは錐体から構成された環状光重畳反射鏡を採用し、太陽光反射線のすべてが太陽エネルギーチップの被照射面に当たる。それは大面積の太陽光が小面積の太陽エネルギーチップ上に光反射、集光、投射を行い、太陽エネルギーの利用率を高め、公知の技術と比較して高い製造コストを節約する。加えた光重畳反射鏡ユニットの材料は廉価なプラスチック電気メッキ材、ステンレス板、鏡面を採用し、製造コストを大幅に下げ、市場競争力を高める。太陽エネルギーチップの被照射面は、下向きで外に防護カバーが設置されて埃や鳥の糞等各種汚染物から被照射面を保護し、光重畳反射鏡は、環状もしくは中空の楕円放物線面設計で、風を避け、排水されやすく、太陽エネルギーチップの寿命を延ばす。本発明の太陽エネルギー電池は風力発電機に結合して運用し、戸外に置いて日夜間断なく電気を供給することができる。
【考案を実施するための最良の形態】
【００１１】
[実施例１]
図１、２、３に示すとおり、光重畳式太陽エネルギー供給装置は、少なくとも一つ以上の太陽エネルギー電池ユニット１１から構成される太陽エネルギー電池１、蓄電池２を含む。この太陽エネルギー電池ユニット１１は、主に太陽エネルギーチップ１１１、反射光材から作られた環状光重畳反射鏡１１２を含み、この環状光重畳反射鏡１１２は、二個以上の光重畳反射鏡ユニット３が連接固定されて環形状を形成する。この光重畳反射鏡ユニット３は一傾斜平面で、この傾斜平面は傾斜線状に環状光重畳反射鏡１１２を中心軸として０度より大きく１８０度かそれより小さい角度で回転する。太陽エネルギーチップ１１１は、環状光重畳反射鏡１１２上方に位置し、且つ被照射面は下向きに設置し、この傾斜面上の太陽光反射線はすべて太陽エネルギーチップ１１１の被照射面上に位置する。本発明が採用しているのは八個の光重畳反射鏡ユニット３で、各光重畳反射鏡ユニット３は傾斜線に環状光重畳反射鏡１１２を中心軸として４５度回転し、中空の八卦型の光重畳反射鏡１１２を形成するため、占める空間が小さくてすむ。二個の光重畳反射鏡ユニット３を採用した場合、各光重畳反射鏡ユニット３は傾斜線に環状光重畳反射鏡１１２を中心にして１８０度回転する。このようにして各異なる季節や緯度及び太陽の光の強さの違いによって光重畳反射鏡ユニットの数を増減することができ、異なる規模の各種太陽エネルギー供給装置となる。太陽光線が特に弱い地区では任意に光反射鏡の数を増やすことが出来る。
図８に示す円弧面は太陽光の反射原理である。任意の一平行対称軸の光線８１が円弧面８２に入射すると、その反射光線８３は円周線の焦点８４を必ず通過し、円弧面８２の複数回反射重畳を経て太陽光線を遮蔽なく反射し、太陽エネルギーチップが光を均等に受けることを保証する。
【００１２】
[実施例２]
図４に示す光重畳式太陽エネルギー供給装置は、少なくとも一以上の太陽エネルギー電池ユニット１１から構成される太陽エネルギー電池１、蓄電池２を含む。この太陽エネルギー電池ユニット１１は、主に太陽エネルギーチップ４１１、反射光材から作られた環状光重畳反射鏡４１２を含み、この環状光重畳反射鏡４１２は、一個以上の光重畳反射鏡ユニット５が連接固定されて環形状を形成する。この光重畳反射鏡ユニット５は一傾斜円弧面で、この傾斜円弧面は傾斜線に環状光重畳反射鏡４１２を中心軸として０度より大きく１８０度かそれより小さい角度で回転する。太陽エネルギーチップ４１１は、環状光重畳反射鏡４１２上方に位置し、且つ被照射面は下向きに設置し、この傾斜円弧面上の太陽光反射線はすべて太陽エネルギーチップ４１１の被照射面上にすべて位置する。本発明が採用しているのは八個の光重畳反射鏡ユニット５で、各光重畳反射鏡ユニット５は傾斜線に環状光重畳反射鏡４１２を中心軸として４５度回転し、中空の八卦型の環状光重畳反射鏡４１２を形成するため、占める空間が小さくてすむ。二個の光重畳反射鏡ユニット５を採用した場合、各光重畳反射鏡ユニット５円弧線に環状光重畳反射鏡４１２を中心にして１８０度回転する。このようにして各異なる季節や緯度及び太陽の光の強さの違いによって光重畳反射鏡ユニットの数を増減することができ、異なる規模の各種太陽エネルギー供給装置となる。太陽光線が特に弱い地区では任意に光反射鏡の数を増やすことが出来る。
【００１３】
[実施例３]
図５に示す光重畳式太陽エネルギー供給装置は、少なくとも一以上の太陽エネルギー電池ユニット１１から構成される太陽エネルギー電池１、蓄電池２を含む。この太陽エネルギー電池ユニット１１は、主に太陽エネルギーチップ６１１、反射光材から作られた光重畳反射鏡６１２を含み、この光重畳反射鏡６１２は、一錐体で凹部に通孔６１２１を設置する。太陽エネルギーチップ６１１は光重畳反射鏡６１２上方に位置し、且つその被照射面は下向きに設置し、円弧線の焦点はすべて太陽エネルギーチップ６１１被照射面上に当たる。
【００１４】
[実施例４]
図６，７に示す光重畳式太陽エネルギー供給装置は、少なくとも一以上の太陽エネルギー電池ユニット１１から構成される太陽エネルギー電池１、蓄電池２を含む。この太陽エネルギー電池ユニット１１は、主に太陽エネルギーチップ７１１、反射光材から作られた光重畳反射鏡７１２を含み、この光重畳反射鏡７１２は一楕円放物線面で、凹部に通孔７１２１を設置する。太陽エネルギーチップ７１１は光重畳反射鏡７１２上方に位置し、且つその被照射面は下向きに設置し、円弧線の焦点はすべて太陽エネルギーチップ７１１被照射面上に当たる。
【００１５】
このように一個以上の傾斜平面もしくは一個以上の傾斜円弧面の光重畳反射鏡ユニットを連接固定して構成するか、もしくは楕円放物線面、もしくは一錐体から構成した環状光重畳反射鏡を採用し、太陽光反射線はすべて太陽エネルギーチップの被照射面上に位置する。これらにより、大面積の太陽光線は小面積の太陽エネルギーチップ状に光反射、集光、投射し、太陽エネルギーの利用率を高め、公知の技術と比較して高い製造コストの電池板を節約する。加えた光重畳反射鏡ユニットの材料は廉価なプラスチック電気メッキ、ステンレス板、鏡面材を採用し、製造コストを大幅に下げ、市場競争力を高める。太陽エネルギーチップの被照射面は下向きでその外側に防護カバーを設置することにより、埃、鳥の糞等各種汚染物が被照射面に堆積するのを防止する。光重畳反射鏡は環状もしくは中空の楕円棒物線面に設計されるため、風を避け、排水されやすいため、太陽エネルギーチップの寿命を延ばす。本発明の太陽エネルギー電池は風力発電機を使用し、戸外に設置して日夜間断なく電気を供給する。
【図面の簡単な説明】
【００１６】
【図１】本発明の現場での運用に於ける実施例図である。
【図２】本発明の第１実施例の立体構造概略図である。
【図３】本発明の第１実施例の構造概略図である。
【図４】本発明の第２実施例の俯瞰構造概略図である。
【図５】本発明の第３実施例の構造概略図である。
【図６】本発明の第４実施例の立体構造概略図である。
【図７】本発明の第４実施例の構造概略図である。
【図８】本発明の第２、第４実施例の光反射原理図である。
【符号の説明】
【００１７】
１      太陽エネルギー電池
１１    太陽エネルギー電池ユニット
１１１  太陽エネルギーチップ
１１２  環状光重畳反射鏡
２      蓄電池
３      光重畳反射鏡ユニット
４１１  太陽エネルギーチップ
４１２  環状光重畳反射鏡
５      光重畳反射鏡ユニット
６１１  太陽エネルギーチップ
６１２  光重畳反射鏡
６１２１  通孔
７１１  太陽エネルギーチップ
７１２  光重畳反射鏡
７１２１  通孔
８１    光線
８２    円弧面
８３    反射光線
８４    焦点
【図１】
0003133650.tif 000003
【図２】
0003133650.tif 000004
【図３】
0003133650.tif 000005
【図４】
0003133650.tif 000006
【図５】
0003133650.tif 000007
【図６】
0003133650.tif 000008
【図７】
0003133650.tif 000009
【図８】
0003133650.tif 000010